(57)【要約】  本発明は、端末（１０２）と、基地局（１０１）（例えばＵＭＴＳ）と、端末にデータを送信するように設計され、（例えばＯＦＤＭ技法を利用して）アップリンクチャネルを具備していない通信装置（１１１）とを備えたセルラー通信システムに関する。ＴＣＰチャネルを介して、受信機基地局（１０１）の電力を制御するためのデータ以外のデータを送信することにより、端末（１０２）は、高速データを端末（１０２）に送信し、端末が通信するＵＭＴＳネットワーク（１０１）に結合されているＯＦＤＭシステム（１１１）の電力を制御することができる。
2005513972.tif 000002
【特許請求の範囲】
【請求項１】
少なくとも１つの基地局（１０１）と、
第１の基地局と呼ばれる前記基地局の少なくとも１つに、アップリンク無線チャネル（ＴＰＣ）上でバイナリ情報を個別に且つ周期的に送信することができる少なくとも１つの端末（１０２）と、
を備え、前記無線チャネルが、
前記第１の基地局の伝送電力を制御するための第１の情報（５０１、５２１、５３１）と、
前記第１の基地局の電力を制御する以外の目的に向けられた第２の情報（５１１）と、
を搬送することを特徴とする、無線通信網におけるデータ伝送方法。
【請求項２】
前記第１の基地局が少なくとも１つの移動電気通信網セル（１００）を管理することを特徴とする請求項１に記載の方法。
【請求項３】
前記第１の基地局が前記受信された第２の情報の少なくとも一部分を、前記端末にデータを送信することができる通信装置（１１１）に送信し、前記通信装置が前記第２の情報の前記少なくとも一部分を処理することを特徴とする請求項１及び２のいずれかに記載の方法。
【請求項４】
前記通信装置が前記端末装置と通信しているときに、それが前記処理の結果の関数として前記端末に送信されるデータ無線伝送電力を調整することを特徴とする請求項３に記載の方法。
【請求項５】
前記通信装置が、前記通信装置から前記端末にデータを送信するために使用される単一方向チャネル（１２３）で前記端末と通信することを特徴とする請求項３及び４のいずれかに記載の方法。
【請求項６】
前記通信装置が多数キャリヤ変調（ＯＦＤＭ）を使用してデータを送信することに適応されることを特徴とする請求項３から５のいずれかに記載の方法。
【請求項７】
前記通信装置がＨＩＰＥＲＬＡＮ／２規格及び／またはＩＥＥＥ  ８０２．１１規格に対応するプロトコルに従って通信をサポートすることを特徴とする請求項３から６のいずれかに記載の方法。
【請求項８】
前記装置が前記第１の基地局（１０１）と区別可能な基地局（１１１）であることを特徴とする請求項３から７のいずれかに記載の方法。
【請求項９】
前記装置が端末であることを特徴とする請求項３から７のいずれかに記載の方法。
【請求項１０】
前記他の目的が前記第１の基地局から区別可能な基地局の伝送電力を制御することを備えることを特徴とする請求項１から９のいずれかに記載の方法。
【請求項１１】
前記他の目的が無線チャネル上で前記端末に基地局によって送信されるデータの肯定応答を含み、前記肯定応答が、データが前記端末によって正しく受信されたかどうかを示すことを特徴とする請求項１から１０のいずれかに記載の方法。
【請求項１２】
前記他の目的が、
前記第１の基地局とは区別可能な基地局へのデータ伝送と、
基地局と前記端末の間の時間スレーブ化の管理と、
基地局と前記端末の間の周波数スレーブ化の管理と、
前記端末に送信される及び／または前記端末から送信されるデータフローの制御と
からなる群に属することを特徴とする請求項１から１１のいずれかに記載の方法。
【請求項１３】
前記第１の情報と前記第２の情報の位置が所定であることを特徴とする請求項１から１２のいずれかに記載の方法。
【請求項１４】
前記第１の情報と第２の情報の位置が動的に決定されることを特徴とする請求項１から１３のいずれかに記載の方法。
【請求項１５】
前記第２の情報が前記基本の情報の１０％以下を表すことを特徴とする請求項１から１４のいずれかに記載の方法。
【請求項１６】
前記第２の情報が前記基本の情報の１％以下を表すことを特徴とする請求項１５に記載の方法。
【請求項１７】
無線通信網において第１の基地局と呼ばれる基地局にアップリンク無線チャネル（ＴＰＣ）上でバイナリ情報を個別に且つ周期的に送信することに適応される端末であって、
それが前記基本の情報の中で、
前記第１の基地局の伝送電力を制御するための第１の情報と、
前記第１の基地局の前記電力の制御以外の目的に向けた第２の情報と
を区別し、挿入する手段を含むことを特徴とする端末。
【請求項１８】
端末から、アップリンク無線チャネル（ＴＰＣ）上でバイナリ情報を個別に且つ周期的に受信することに適応された、セルラーネットワーク内の基地局であって、
それが前記バイナリ情報の中で、
前記第１の基地局の伝送電力を制御するための第１の情報と、
前記第１の基地局の電力を制御する以外の目的に向けた第２の情報と
を区別し、抽出する手段を含むことを特徴とする基地局。
【請求項１９】
請求項１７に記載の少なくとも１つの端末と、請求項１８に記載の少なくとも１つの基地局を含むことを特徴とする通信システム。
【請求項２０】
無線通信網の基地局に端末により送信され、アップリンク無線チャネル（ＴＰＣ）上で、前記基地局に前記端末により個別に且つ周期的に送信されるバイナリ情報を搬送する信号であって、
前記バイナリ情報が、
前記基地局の伝送電力を制御するための第１の情報と
前記基地局の前記電力の制御以外の目的に向けた第２の情報と
を含むことを特徴とする信号。
【発明の詳細な説明】
【技術分野】
【０００１】
本発明は、無線通信の分野に関する。さらに正確には、本発明は、特に高速伝送、例えばセルラーネットワークにおけるデータの伝送及び処理に関する。
【背景技術】
【０００２】
第３世代の、及びさらに最近の無線電話システムは、非常に高速なデータ伝送を必要とする多くのサービス及び応用例をすでに取り扱っているか、取り扱うことになるであろう。特にインターネットまたは同様なネットワークを通る（例えば、音、及び／または固定画像または動画画像を記憶するファイルなどの）データ転送に割り当てられるリソースは、使用可能なリソースの圧倒的な部分を占め、おそらく最終的には、ほぼ一定に留まるはずである音声通信に割り当てられるリソースを超えることになるであろう。
【０００３】
しかしながら、無線電話装置のユーザが使用できる総スループットは使用可能な周波数の数によって制限されている。リソースの十分な可用性を可能にするために従来使用されてきた1つの特定の方法が、指定領域内でのセルの密度を増やすことである。したがって、ネットワークインフラストラクチャは、相対的に小さなセルである「マイクロセル」に分割される結果となる。このような技法の１つの不利な点は、それが相対的に複雑であり、高価な要素である多数の固定局（基地局（ＢＳ））を必要とするという点である。さらに、見込まれるデータスループットは高いが、それは最適ではない。さらにより高レベルでは、セルの数、したがって局数がさらに増加するにつれ管理がさらに複雑になることは明らかである。
【０００４】
第３世代のＵＭＴＳ（汎用移動通信システム）ネットワークの容量も隣接するセルまたはネットワークの間の干渉によって制限される。したがって、基地局は過剰な干渉を回避するために受信装置により発行される表示を利用する伝送電力制御を使用する。
【０００５】
さらに、すべての既存の無線電話システムのように、現在開発中である第３世代システムは非対称構造に基づいている。したがって、３ＧＰＰ（第３世代移動体通信システム標準化プロジェクト）により定義されるＵＭＴＳ規格はダウンリンクチャネル（基地局から端末）とアップリンクチャネル（端末から基地局）の間で、ＦＤＤ（周波数分割複信）メインリンクのために対称分散を使用している。また、ある程度の非対称性を可能にするＴＤＤ（時分割複信）もある。しかしながら、このようにして使用可能な非対称性は、移動性の有無に関わらず、ダウンリンクチャネルでのインターネットタイプの高速サービスに対するユーザのニーズを考慮すると制限されている。
【０００６】
したがって、１つの解決策はＷ−ＣＤＭＡ（広帯域符号分割多重接続）と共にマルチキャリヤ変調を使用することから構成される。例えば、ＯＦＤＭ（直交周波数分割多重方式）ダウンリンクチャネルが高速ネットワーク（特にウェーブコム社（Ｗａｖｅｃｏｍ  Ｃｏｍｐａｎｙ）によって１９９８年４月１０日に提出されたフランス特許出願第９８  ０４８８３号に説明されるように）と共に導入されるか、あるいはＵＭＴＳネットワークを（特にＥＴＳＩ  ＨｉｐｅｒＬＡＮ／２またはＩＥＥＥ８０２．１１規格に従う）既存のまたは将来の高速無線ＬＡＮ（ＷＬＡＮ−無線ローカルエリアネットワーク）と結合できるであろう。
【０００７】
ＣＤＭＡを使用するシステムに関しては、あるＯＦＤＭ変調に基づくシステムについて同じ周波数を複数回使用することができる。したがって（特にリソースが限られた周波数で使用可能なときに）２つの隣接するセルが同じ周波数を使用する場合、セルの間に干渉があるであろう。このようにして、周波数ｆ１のあるセルに位置する端末は、同じ周波数ｆ１の隣接するセルで送信される信号によって妨害されるであろう。したがって、端末は２つの基地局から発信される遅延したＯＦＤＭ信号を受信する。したがって、ＯＦＤＭサブキャリヤ間の直交性はもはや保証されず、端末はそれに送信される情報を正しく復調することはもはやできないであろう。
【０００８】
（特にＯＦＤＭ型変調を使用する）ＨｉｐｅｒＬＡＮ／２型の高速無線ネットワークでは、２０を超えるチャネルがあり、その結果、同じ周波数を持つ隣接するセルを有するのを避けるために動的周波数割り当て機構を使用することができる。しかしながら、この技法には、実現するには相対的に複雑であるという不利な点がある。
【発明の開示】
【発明が解決しようとする課題】
【０００９】
本発明及びその多様な態様は、特に従来の技術の不利な点を克服することを目的としている。
【００１０】
さらに正確には、本発明の第１の目的は、特に同じ地理上の区域つまり隣接する区域をカバーする１つまたは複数のネットワークにおける速度の大局的な加速を可能にすることによってデータ伝送を最適化することである。
【００１１】
本発明の第２の目的は、必ずしもアップリンクチャネルを持たない基地局への端末からのデータ転送を最適化することである。
【課題を解決するための手段】
【００１２】
その結果、本発明は、
少なくとも１つの基地局と、
基地局の少なくとも１つであって、第１の基地局と呼ばれるものへのアップリンク無線チャネル（ＴＰＣ）でバイナリ情報を個別に且つ周期的に送信するようになっている少なくとも１つの端末と
を備え、無線チャネルが、
第１の基地局からの伝送電力を制御するための第１の情報と、
第１の基地局からの電力を制御する以外の目的のための第２の情報と、
を搬送することを特徴とする無線通信網におけるデータ伝送方法を提案する。
【００１３】
１つの特定の特徴によれば、本発明方法は、第１の基地局が少なくとも１つの移動電気通信網のセルを管理する。
【００１４】
したがって、本発明は、既存の標準仕様に多大な変更を加えることなくＵＴＭＳネットワークなどの移動電気通信網において使用できる。
【００１５】
１つの特定の特徴によれば、本発明方法は、第１の基地局が受信された第２の情報の少なくとも一部を、端末へとデータを送信する機能を備えた通信装置に送信するという点、及び通信端末が第２の情報の少なくとも一部を処理するという点を特徴とする。
【００１６】
１つの特定の特徴によれば、本発明方法は、前記通信装置が端末と通信しているときに、それがデータを端末に送信するために使用する無線伝送電力を、処理の結果の関数として調整する。
【００１７】
１つの特定の特徴によれば、本発明方法は、通信装置が通信装置から端末へデータを送信するために使用される単一指向チャネルでの端末と通信する。
【００１８】
１つの特定の特徴によれば、本発明方法は、通信装置が複数の搬送波変調（ＯＦＤＭ）を使用してデータを送信することが出来るようになっている。
【００１９】
１つの特定の特徴によれば、本発明方法は、通信装置がＨＩＰＥＲＬＡＮ／２規格及び／またはＩＥＥＥ８０２.１１規格と互換性のあるプロトコルに従った通信をサポートする。
【００２０】
１つの特定の特徴によれば、本発明方法は、前記通信装置が第１の基地局とは別個の基地局である。
【００２１】
１つの特定の特徴によれば、本発明方法は、前記通信装置が端末である。
【００２２】
このようにして、本発明は、通信装置がアップリンクチャネルを持たないケースに応用でき、例えばこの装置はＵＭＴＳ、ＨＩＰＥＲＬＡＮ、ＩＥＥＥ  ８０２．１１（特にＩＥＥＥ  ８０２．１１ａまたは８０２．１１ｂ）ネットワークにおける、あるいは任意の他のネットワークにおける第２の基地局、ある端末（例えば別の端末への、あるいは中継器としての直接的な伝送のために使用されるもの）、あるいはさらに一般的にはデータを端末に送信するサードパーティ装置である。
【００２３】
１つの特定の特徴によれば、本発明方法は、前記の他の目的が第１の基地局とは区別可能な基地局からの、伝送電力に関する制御を含む。
【００２４】
１つの特定の特徴によれば、本発明方法は、他の目的が、無線チャネルで基地局によって端末に送信されるデータの確認応答(acknowledgement)を含み、この応答は、データが端末によって正しく受信されたかどうかを示すものである。
【００２５】
したがって、本発明は、データが正しく受信されたという確認応答、及び／またはデータが正しく受信されなかったことを示す否定的応答を可能にする。
【００２６】
１つの特定の特徴によれば、本発明方法における他の目的は、
第１の基地と区別可能な局基地局へのデータ伝送と、
基地局と端末の間の時間スレーブ化（time slaving）の管理と、
基地局と端末の間の周波数スレーブ化（frequency slaving）の管理と、
端末へ送信される、及び／又は端末から送信されるデータフローの制御と
からなる群のなかの目的の１つである。
【００２７】
したがって、本発明の多くの考えられる用途があり、特に、
干渉を制限するための第２の基地局からの伝送電力の制御や、
データを送信する局が非常に迅速に反応できるように、アップリンクチャネル（ＴＰＣ）から信号を受信する基地局によって、あるいは別の基地局によって送信されるフレームの確認応答、
無線リンク上の時間及び／または周波数の変動を効率的、確実且つ迅速に補償する為に時間及び／または周波数スレーブ化の管理
がある。
【００２８】
したがって、これらの用途は、非常に短い期間の内にアップリンクチャネル上でのデータ伝送を可能にするＴＰＣチャネルの非常に早い応答性を利用する。
【００２９】
１つの特定の特徴によれば、本発明方法は、第１の情報と第２の情報の位置が所定であるという点で注目に値する。
【００３０】
したがって、本発明を実現するのは非常に容易い。
【００３１】
１つの特定の特徴によれば、本発明方法は、第１の情報と第２の情報の位置が動的に決定されるという点で注目に値する。
【００３２】
このようにして、簡略なインプリメンテーションを維持する一方で、本発明は、第１の情報と第２の情報の数及び位置を、アップリンクチャネル受信局の電力の制御に関する制約と、第２の情報により得られる他の最終目的に関するニーズとの関数として調整する。
【００３３】
１つの特定の特徴によれば、本発明方法は、第２の情報が基本の情報（elementary information）の１０％以下を表す。
【００３４】
１つの特定の特徴によれば、本発明方法は、第２の情報が基本の情報の１％以下を表す。
【００３５】
このようにして、本発明は、短い期間の中で第２の情報の確実な伝送を可能にしながら、ＴＰＣチャネルでデータを受信する局からの出力を制御するために良好な性能を維持する手段を提供する。
【００３６】
また、本発明は、第１の基地局と呼ばれる無線通信網の中の基地局にアップリンク無線チャネル（ＴＰＣ）上でバイナリ情報を個別に且つ周期的に送信することができる端末にも関し、それが以下の情報の基本のアイテム、つまり
第１の基地局からの伝送出力を制御するための第１の情報、及び
第１の基地局からの出力を制御する以外の目的に使用される第２の情報、
を区別し、挿入する手段を含む。
【００３７】
また、本発明は、端末からアップリンク無線チャネル（ＴＰＣ）上でバイナリ情報を個別に且つ周期的に受信することに適応されたセルラーネットワークの基地局にも関し、それが以下の情報の基本的なアイテム、つまり、
第１の基地局からの伝送出力を制御するための第１の情報、及び
第１の基地局からの出力を制御する以外の目的のために使用される第２の情報、
を区別し、抽出するという手段を含むという点で注目に値する。
【００３８】
また、本発明は、通信システムにも関し、それが前述されたもののような少なくとも１つの端末と、少なくとも１つの基地局を含むという点で注目に値する。
【００３９】
また、本発明は、無線通信網において基地局へ端末により送信され、アップリンク無線チャネル（ＴＰＣ）上で端末により基地局に対し個別に且つ周期的に送信されるバイナリ情報を搬送する信号にも関し、該バイナリ情報が、
第１の基地局からの伝送出力を制御するための第１の情報と、
第１の基地局からの出力を制御する以外の目的のために使用される第２の情報と
を含むという点で注目に値する。
【００４０】
端末、ネットワーク基地局、システム及び信号の優位点は、データ伝送方法の優位点と同じであり、それらはさらに詳細に説明されない。
【００４１】
本発明の他の特徴及び優位点は、単に例証となり、且つ限定されない例として示される好ましい実施形態の以下の説明、及び添付図面を読んだ後により明確になるであろう。
【発明を実施するための最良の形態】
【００４２】
本発明の一般的な原理は、受信機基地局の電力を制御することを目的としたデータ、あるいは他の目的の、データを送信するべく、隔離されたバイナリデータの周期的な伝送専用の物理的なチャネルを使用することを含む。
【００４３】
ＵＭＴＳ規格で使用されている既知の技法によれば、移動（モバイル）装置は、関連する基地局がその伝送電力を強化または削減できるようにＴＰＣと呼ばれる特定のチャネルを通じて電力制御情報を毎秒１５００回送信する。
【００４４】
本発明によれば、ＴＰＣチャネルのいくつかのビット（総ビット数の典型的には１％で、好ましくは１０％未満）がこの信号を受信する基地局からの伝送電力を制御する以外の目的に使用される。したがって、通常毎秒１４８５ビット（好ましくは１３５０ビット）が残るため、ＵＭＴＳシステムの性能はごくわずかに劣化するだけである。
【００４５】
圧縮モード技法と呼ばれる（特にＵＭＴＳ規格で使用される）１つの既知の技法によれば、活動していない期間（つまりギャップ）によって、基地局からの電力の制御専用の多数のビットが削除されることになる。この場合、圧縮モードの使用のＵＭＴＳシステムに対する影響は依然として許容される程度である。
【００４６】
本発明によれば、対応する信号を受信する受信機基地局の電力を制御する性能は非常にわずかに劣化するにすぎない、あるいはいくつかのビットを削除することによりまったく劣化しないだろう。
【００４７】
受信基地局からの電力を制御することを目的としたデータ、及び他の目的のためのデータを含むバイナリデータを個別に且つ周期的に送信するために使用されるＴＰＣ型の無線チャネルでの基地局に対する端末によるデータ伝送は、例えば、ＴＰＣ型のアップリンクチャネルを使用しない少なくとも１つの他の局の電力の制御や、ＴＰＣチャネルの受信機基地局または別の基地局及び／または端末により送信されるデータの確認応答などの役に立つ応用例を有している。
【００４８】
このようにして、ＴＰＣチャネルを通して受信基地局からの電力を制御するためのデータ以外のデータを送信するとき、端末は、例えばその端末に高速でデータを送信するＯＦＤＭに基づいたシステムの電力を制御することができ、このＯＦＤＭシステムは、端末が通信しているＵＭＴＳネットワークに結合されている。ＯＦＤＭに基づいたシステムの電力を制御する頻度は、それが受信基地局からの電力の制御をわずかに不利にするか、全く不利にすることがないように決定される。
【００４９】
このようにして、干渉を制限するために、送信されるＯＦＤＭ信号の電力は、ＵＭＴＳ電力制御機構（Ｗ−ＣＤＭＡ）を使用することにより制御される。したがって、ＯＦＤＭ基地局に近い端末のために送信される信号の電力はＯＦＤＭ基地局から遠い端末のために送信される信号の電力より小さくなるであろう。したがって本発明の新たな点は、ＯＦＤＭ送信信号の電力を制御するためにＵＭＴＳの電力制御機構を使用することにある。
【００５０】
さらに、この伝送電力制御があるので、同じ周波数でセルの重複がある場合でも、基地局は不必要なエネルギーで送信しないので、重複は小さくなるはずである。したがって、本発明はこのような特定のケース（同じ周波数でのセルが重複している領域にある端末）のためのセル間干渉も抑制することが出来る。
【００５１】
さらに、本発明は、ＴＰＣチャネル上のビットが物理層と物理層の間を通過するにすぎないため、既存のＵＭＴＳプロトコルインタフェースを維持できるという利点を有している。ＴＰＣチャネルを搬送するＤＰＣＣＨアップリンクチャネル型の物理チャネルは修正されない。
【００５２】
図１に関して、本発明を使用する移動無線電話網のブロック図を提示する。
【００５３】
例えば、ネットワークは３ＧＰＰ委員会により定義されるＵＭＴＳ（汎用移動通信システム）規格に対応するものであってよい。
【００５４】
ネットワークは、ＵＭＴＳ規格を使用する基地局１０１（ＢＳ）によって管理されるセル１００（つまりマクロセル）を含む。
【００５５】
基地局１０１は、端末１０３、１０４からの通信を管理し、１０４は二方向無線リンクを通して基地局１０１と通信することができるものである。
【００５６】
したがって、端末１０２は、アップリンクチャネル１２２とダウンリンクチャネル１２１を通して基地局１０１に接続される。
【００５７】
さらに、セル１００は、高速転送に使用されるＨＩＰＥＲＬＡＮ／２型ネットワーク１１０を含む。
【００５８】
セル１００は、特に、単一方向高速無線ダウンリンク１２３を通る通信で端末１０２に接続されるＨＩＰＥＲＬＡＮ／２規格に対応する基地局１１１を含む。
【００５９】
また、基地局１１１は、基地局１０１に例えばワイヤリンクなどの任意の二方向リンク１２０を通して接続される。
【００６０】
端末１０２から１０４が通信していないとき、スタンバイモードにあり、換言すると、端末は通信モードにはないが、セル１００内にあって、通信のために使用可能であるモードにあることに留意されたい。特に、これらの端末は、セル１００に属する基地局１０１により送信される信号をリスンする。
【００６１】
これらの信号は、通信プロトコルの高い層に提供されるサービスに対応する共通トランスポートチャネル、特にＢＣＨチャネル（放送チャネル）及びＰＣＨ（ページングチャネル）と、特にＣＰＩＣＨチャネル（共通パイロットチャネル（Ｃｏｍｍｏｎ  ＰＩｌｏｔ  ＣＨａｎｎｅｌｓ））上の通信プロトコルの物理層に対応する共通トランスポートチャネルの上で送信される。
【００６２】
３ＧＰＰネットワークによって使用されるチャネルは、モバイルネットワークの当業者には周知であり、特に「第３世代移動体通信システム標準化プロジェクト：技術指定グループ無線アクセス網：物理チャネル及び物理チャネル（ＦＤＤ）へのトランスポートチャネルのマッピングリリース１９９９（Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ：Ｐｈｙｓｉｃａｌ  Ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ（ＦＤＤ）ｒｅｌｅａｓｅ  １９９９）」規格、参照資料３ＧＰＰ  ＴＳ２５．２１１に指定され、３ＧＰＰ出版局によって配布されている。したがって、これらのチャネルはさらに詳細に説明しない。
【００６３】
図２は、図１に関して示されているように基地局１０１を図式的に示す。
【００６４】
基地局１０１は、アドレス及びデータバス２０７を通して互いに接続される
プロセッサ２０４と、
ＲＡＭ２０６と、
不揮発性メモリ２０５と、
モバイルネットワーク内の固定インフラストラクチャへ、あるいは他のネットワークへの接続を可能にする有線ネットワークインタフェース２００（特に、ネットワーク１１０の基地局１１１に対するリンク１２０）と、
セル１００に存在する端末（特に端末１０２から１０４）により送信される信号を受信するための受信無線インタフェース２０１と、
セル１００に存在する端末に信号を送信するための無線伝送インタフェース２０２と
制御及び保守のための機械との対話のためのマンマシンインタフェース２０３と
を含む。
【００６５】
ＲＡＭ２０６はデータ、変数２０９及び中間処理結果を記憶する。
【００６６】
不揮発性メモリ２０５は、便宜上その中に記憶されるデータと同じ名前を付けるレジスタの中に、「ｐｒｏｇ」レジスタ２１０にプロセッサ２０４のオペレーティングプログラムを、そして基地局１０１のための構成パラメータ２１１を記憶している。
【００６７】
図示されていない基地局１１０は、アドレス及びデータバスを通して互いに接続される
プロセッサと、
ＲＡＭと、
不揮発性メモリと、
モバイルネットワークの固定インフラストラクチャへ、あるいは他のネットワークへの接続を可能にする有線ネットワークインタフェース（特に基地局へのリンク１２０）、
ネットワーク１１０に存在する端末に信号を送信するための無線伝送インタフェース（特に装置１０２）と、
制御及び保守のための機械との対話を可能にするマンマシンインタフェースと
を含んでいる。
【００６８】
図３は、図１に関して示されるような端末１０２を示している。
【００６９】
端末１０２は、アドレス及びデータバス３０７を通して互いに接続される
プロセッサ３０４と、
ＲＡＭ３０６と、
不揮発性メモリ３０５と、
ＵＭＴＳ基地局１０１及びＨＩＰＥＲＬＡＮ／２基地局１１１により送信される信号を受信するための受信無線インタフェース３０１と、
ＵＭＴＳ基地局１０１に信号を送信するための無線伝送インタフェース３０２と、
制御及び保守のための機械との対話のためのマンマシンインタフェース３０３と
を含んでいる。
【００７０】
ＲＡＭメモリ３０６は、データ、変数３０９及び中間処理結果を記憶する。
【００７１】
不揮発性メモリ３０５は、便宜上それらの中に記憶されるデータと同じ名前を付けられたレジスタに、「ｐｒｏｇ」レジスタ３１０に、プロセッサ３０４のオペレーティングプログラムを記憶し、そして、端末１０２のための構成パラメータ３１１を記憶している。
【００７２】
図４は、基地局１０１と１１１と端末１０２の間の通信のためのプロトコルを示す。
【００７３】
第１のステップ４００の間、通信は、ダウンリンクチャネル１２１とアップリンクチャネル１２２上で基地局１０１と端末１０２の間のＵＭＴＳプロトコルを使用してセットアップされる。
【００７４】
基地局１０１は、次にダウンリンクチャネル１２１上で端末１０２に対し、基地局１１１に、例えばＦＡＣＨ（純方向アクセスチャネル）またはＤＣＨ（専用チャネル）またはＤＳＣＨ（ダウンリンク共用チャネル）上で、あるいはＤＰＣＣＨ（専用物理制御チャネル）により搬送されるＴＦＣＩ（トランスポートフォーマットコンビネーションインジケータ）フィールドを通して特定のＯＦＤＭチャネルを傾聴するという命令４０１を送信する。
【００７５】
基地局１０１は、次にそのＯＦＤＭチャネル上の基地局１１１に対し端末１０３向けのデータを送信するという命令を送信する。
【００７６】
基地局１１１は、次に初期値Ｐ１に等しい電力での高伝送速度を可能にするＯＦＤＭ変調を使用してダウンリンクチャネル１２３で端末１０３が使用するためのデータを送信する。
【００７７】
それから、（既知の技法を使用して）端末が測定した受信電力が高すぎると仮定すると、端末は、ステップ４０４で、基地局１１１がその伝送電力を削減できることを基地局１０１に知らせる。この情報は、他の目的のための、すなわち基地局１０１が使用するための電力制御データの間で、基地局１１１からの伝送出力を制御するためのデータに挿入することによりＴＰＣチャネルを通して送信される。
【００７８】
次に、ステップ４０５の間に、基地局１０１は、それが端末１０２に送信されるフレームと関連付けられる伝送電力を削減できることを基地局１１１に知らせるためにワイヤリンク１２０を使用する。
【００７９】
このようにして、基地局１１１は、基地局１０１を通して端末１０２により提供される表示の関数としてその伝送電力を調整する。基地局１１１は、次に、初期値Ｐ１未満のＰ２に等しい値に等しい電力で高伝送速度を可能にするＯＦＤＭ変調を使用してダウンリンクチャネル１２３上で端末１０３向けのデータ４０６を送信する。このようにして、基地局は端末に向けたデータを送信し、この伝送により生じる干渉を制限する。
【００８０】
次に、（既知の技法を使用して）端末が測定した受信電力が低すぎると仮定すると、端末は、ＴＰＣチャネルを通して、前述したように、ステップ４０７で、基地局１１１がその伝送電力を強める必要があることを基地局１０１に知らせる。
【００８１】
基地局１０１は、次に基地局１１１に、ステップ４０８の間で、それがワイヤリンク１２０を通して端末１０２にアドレス指定されるフレームに関連付けられた伝送電力を増強しなければならないことを知らせる。
【００８２】
基地局１１１は、次に、前記の値Ｐ２未満であるＰ１に等しい電力で高伝送速度を可能にするＯＦＤＭ変調を使用してダウンリンクチャネル１２３上で端末１０３に向けのデータ４０９を送信する。基地局は、このようにして端末にデータを送信し、端末１０２を通したデータの良好な受信を可能にしながら、この伝送により生じる干渉が制限されるように伝送電力を最適化する。
【００８３】
高速伝送が終了すると、最終ステップ４１０が実行され、端末１０２は基地局１１１の傾聴を中断し、通信を終了するためにＵＭＴＳ基地局１０１と端末１０２の間にＵＭＴＳ規格と対応する交換プロトコル４１１がセットアップされる。
【００８４】
図５は端末１０２から基地局１０１へのＵＭＴＳフレームの伝送を示す。
【００８５】
端末は、連続的且つ周期的にフレーム５００、５１０、５２０、及び５３０を基地局１１１に送信する。
【００８６】
これらのフレームは、Ｔに等しい期間にＴＰＣチャネル上でビット５０１、５１１、５２１及び５３１の伝送のために使用される。
【００８７】
例えば、ビット５０１、５２１及び５３１は、基地局１０１の伝送電力の制御に専用のビットである。
【００８８】
他方、ビット５１１は、基地局１１１の伝送電力の制御という他の目的に向けられる。このビットは基地局１０１によって識別され、例えば、その伝送電力の増加または削減を要求するために、この処理から出力される情報を基地局１１１に送信する目的で処理されてよい。
【００８９】
一般的には、ＴＰＣチャネルの中でのビットの位置は、その用途あるいは利用の仕方の関数として各フレーム内で事前に決定される。したがって、ビット分散は、端末１０２について、そして基地局１０１について既知であり、それはそれらの意味の関数としてＴＰＣチャネル上でビットを挿入、抽出することができる。
【００９０】
１つの変形例によれば、基地局１０１の電力を制御する以外の目的に向けたビットの位置は、別のトランスポートチャネルにより送信されるプロトコルメッセージを使用して、ニーズの関数として決定され、動的に割り当てることができる。
【００９１】
すべてのケースにおいて、ＴＰＣチャネル内でのビットの分散は、受信基地局の電力制御が劣化しないように、あるいは劣化が最小になるように選ばれるであろう。このようにして、他の目的のためのＴＰＣチャネル上のビットは、好ましくはこのチャネルで均等に分散され、ＴＰＣチャネルの２個の連続ビットはこの、他の目的に割り当てられない。
【００９２】
明らかに、本発明は前述された例の実施形態に制限されない。
【００９３】
特に、当業者は、使用されるネットワークのタイプで変形を作ることができるであろう。したがって、本発明は、すべてのモバイルネットワーク及び／または無線セルネットワークに関し、アップリンクは、信号を受信する局の電力を制御するために特定のデータ、及び例えば端末から直接的にデータを受信することができないサードパーティ装置が使用するためのデータなど他の目的ためのデータを含むデータを周期的に送信することにより、端末が電力制御信号を送信できるようにする。特に、このサードパーティ装置は、ＨＩＰＥＲＬＡＮ／２またはＩＥＥＥ  ８０２．１１型規格、あるいはＵＭＴＳまたは高速データ転送に使用される他の規格に対応してよい。例えば、それは基地局、中継局、あるいは端末装置であってよい。
【００９４】
例えば、他の目的のためのデータは、サードパーティの伝送電力を制御するためのデータを含むが、任意の他の種類の情報データも含む。特に、制限的な意味ではないが、サードパーティ装置は、それを無線ネットワーク基地局に接続するＴＰＣチャネルを使用する端末装置に高速データ、例えば（フランス特許出願第９５  ０５４５５号に定められるように）ＯＦＤＭまたはＩＯＴＡ型マルチキャリヤ変調を使用して送信されるデータを送信できるものでもよい。
【００９５】
本発明は、純粋に物理的な装置に制限されず、コンピュータプログラムの命令のシーケンスの形式で、あるいはハードウェアパーツとソフトウェアパーツを結合する任意の形式で実施できることに留意されたい。本発明が部分的にまたは完全にソフトウェア形式で実施される場合、対応する命令シーケンスは、（例えば、ディスケット、ＣＤ−ＲＯＭあるいはＤＶＤ−ＲＯＭなどの）取り外し可能な記憶手段に記憶されてもよいが、この記憶手段はコンピュータまたはマイクロプロセッサによって部分的にまたは完全に読み取り可能である。
【図面の簡単な説明】
【００９６】
【図１】本発明の特定の実施形態によるネットワークのブロック図を示す。
【図２】図１に図示されるネットワークの基地局を説明する。
【図３】図１に図示されるネットワークの端末を説明する。
【図４】図１のネットワークのさまざまな要素間の通信プロトコルを示す。
【図５】図１のネットワークの基地局に対する図３の端末によるデータ伝送を提示する。
【図１】
2005513972.tif 000003
【図２】
2005513972.tif 000004
【図３】
2005513972.tif 000005
【図４】
2005513972.tif 000006
【図５】
2005513972.tif 000007
【国際調査報告】
2005513972.tif 000008
2005513972.tif 000009
2005513972.tif 000010
2005513972.tif 000011
2005513972.tif 000012
2005513972.tif 000013